【手続補正書】
【提出日】平成22年7月13日(2010.7.13)
【手続補正１】
【補正対象書類名】特許請求の範囲
【補正対象項目名】全文
【補正方法】変更
【補正の内容】
【特許請求の範囲】
【請求項１】
複数のオブジェクトと、サーバ装置と、操作入力装置を有するクライアント装置とが通信可能に接続されたオブジェクト選択システムであって、
前記サーバ装置は、
前記複数のオブジェクトの位置情報と地図とを記憶する記憶手段と、
前記地図上の位置を指定する指定位置情報と、地図範囲に関する縦横比情報と、前記操作入力装置のボタン数に関する情報とを前記クライアント装置から受信する受信手段と、
前記受信された指定位置情報と縦横比情報とに基づく地図範囲に存在するオブジェクトの数が前記ボタン数と一致するように、前記地図の縮尺を調整する調整手段と、
前記オブジェクトの数と前記ボタン数とが一致したときの地図範囲に存在するオブジェクトを特定するためのオブジェクト情報を前記クライアント装置へ送信する送信手段と
を有し、
前記クライアント装置は、
前記地図の指定位置情報と、前記地図範囲に関する縦横比情報と、前記ボタン数に関する情報とを前記サーバ装置へ送信する送信手段と、
前記サーバ装置によって送信された前記オブジェクト情報を受信する受信手段と、
前記受信されたオブジェクト情報により特定される各オブジェクトを前記操作入力装置の各ボタンに関連付ける関連付け手段と、
前記操作入力装置で操作されたボタンに関連付けられたオブジェクトに対して要求を送信する要求手段と
を有することを特徴とするオブジェクト選択システム。
【請求項２】
前記調整手段は、前記調整した縮尺における地図範囲に存在するオブジェクトの数が前記ボタン数よりも多い場合、前記指定位置情報で示された指定位置から最も距離のあるオブジェクトを、前記オブジェクトの数と前記ボタン数とが一致するまで、順次除外することを特徴とする請求項１に記載のオブジェクト選択システム。
【請求項３】
複数のオブジェクトと、サーバ装置と、操作入力装置を有するクライアント装置とが通信可能に接続されたオブジェクト選択システムにおける前記サーバ装置であって、
前記複数のオブジェクトの位置情報と地図とを記憶する記憶手段と、
前記地図上の位置を指定する指定位置情報と、地図範囲に関する縦横比情報と、前記操作入力装置のボタン数に関する情報とを前記クライアント装置から受信する受信手段と、
前記受信された指定位置情報と縦横比情報とに基づく地図範囲に存在するオブジェクトの数が前記ボタン数と一致するように、前記地図の縮尺を調整する調整手段と、
前記オブジェクトの数と前記ボタン数とが一致したときの地図範囲に存在するオブジェクトのそれぞれが、前記操作入力装置の各ボタンに関連付けられるように、当該一致したときの地図範囲に存在するオブジェクトのそれぞれを特定するためのオブジェクト情報を前記クライアント装置へ送信する送信手段と
を有することを特徴とするサーバ装置。
【請求項４】
前記調整手段は、前記指定位置情報と前記縦横比情報とに基づく地図であって、縮尺が最も大きい地図の地図範囲を設定すると当該地図範囲に存在するオブジェクトの数が前記ボタン数よりも少なくなる場合、前記縮尺を小さくし、前記縮尺が小さくした後の地図範囲に存在するオブジェクトの数が前記ボタン数よりも多くなる場合、前記指定位置情報で示された指定位置から最も距離のあるオブジェクトを、前記オブジェクトの数と前記ボタン数とが一致するまで、順次除外することを特徴とする請求項３に記載のサーバ装置。
【請求項５】
複数のオブジェクトと、サーバ装置と、操作入力装置を有するクライアント装置とが通信可能に接続されたオブジェクト選択システムにおける前記クライアント装置であって、
前記サーバ装置に対して、地図上の位置を指定する指定位置情報及び地図範囲に関する縦横比情報、並びに、前記操作入力装置のボタン数に関する情報を送信する送信手段と、
前記送信手段により送信された情報に基づく地図範囲であって、当該地図範囲に存在するオブジェクトの数が前記ボタン数と一致するように前記サーバ装置で縮尺が調整された地図範囲に存在するオブジェクトを特定するためのオブジェクト情報を前記サーバ装置から受信する受信手段と、
前記受信されたオブジェクト情報により特定される各オブジェクトを前記操作入力装置の各ボタンに関連付ける関連付け手段と、
前記操作入力装置で操作されたボタンに関連付けられたオブジェクトに対して要求を送信する要求手段と
を有することを特徴とするクライアント装置。
【手続補正２】
【補正対象書類名】明細書
【補正対象項目名】００１０
【補正方法】変更
【補正の内容】
【００１０】
本発明のオブジェクト選択システムは、複数のオブジェクトと、サーバ装置と、操作入力装置を有するクライアント装置とが通信可能に接続されたオブジェクト選択システムであって、前記サーバ装置は、前記複数のオブジェクトの位置情報と地図とを記憶する記憶手段と、前記地図上の位置を指定する指定位置情報と、地図範囲に関する縦横比情報と、前記操作入力装置のボタン数に関する情報とを前記クライアント装置から受信する受信手段と、前記受信された指定位置情報と縦横比情報とに基づく地図範囲に存在するオブジェクトの数が前記ボタン数と一致するように、前記地図の縮尺を調整する調整手段と、前記オブジェクトの数と前記ボタン数とが一致したときの地図範囲に存在するオブジェクトを特定するためのオブジェクト情報を前記クライアント装置へ送信する送信手段とを有し、前記クライアント装置は、前記地図の指定位置情報と、前記地図範囲に関する縦横比情報と、前記ボタン数に関する情報とを前記サーバ装置へ送信する送信手段と、前記サーバ装置によって送信された前記オブジェクト情報を受信する受信手段と、前記受信されたオブジェクト情報により特定される各オブジェクトを前記操作入力装置の各ボタンに関連付ける関連付け手段と、前記操作入力装置で操作されたボタンに関連付けられたオブジェクトに対して要求を送信する要求手段とを有する。
【手続補正３】
【補正対象書類名】明細書
【補正対象項目名】００１１
【補正方法】変更
【補正の内容】
【００１１】
本発明のサーバ装置は、複数のオブジェクトと、サーバ装置と、操作入力装置を有するクライアント装置とが通信可能に接続されたオブジェクト選択システムにおける前記サーバ装置であって、前記複数のオブジェクトの位置情報と地図とを記憶する記憶手段と、前記地図上の位置を指定する指定位置情報と、地図範囲に関する縦横比情報と、前記操作入力装置のボタン数に関する情報とを前記クライアント装置から受信する受信手段と、前記受信された指定位置情報と縦横比情報とに基づく地図範囲に存在するオブジェクトの数が前記ボタン数と一致するように、前記地図の縮尺を調整する調整手段と、前記オブジェクトの数と前記ボタン数とが一致したときの地図範囲に存在するオブジェクトのそれぞれが、前記操作入力装置の各ボタンに関連付けられるように、当該一致したときの地図範囲に存在するオブジェクトのそれぞれを特定するためのオブジェクト情報を前記クライアント装置へ送信する送信手段とを有する。
【手続補正４】
【補正対象書類名】明細書
【補正対象項目名】００１２
【補正方法】変更
【補正の内容】
【００１２】
本発明のクライアント装置は、複数のオブジェクトと、サーバ装置と、操作入力装置を有するクライアント装置とが通信可能に接続されたオブジェクト選択システムにおける前記クライアント装置であって、前記サーバ装置に対して、地図上の位置を指定する指定位置情報及び地図範囲に関する縦横比情報、並びに、前記操作入力装置のボタン数に関する情報を送信する送信手段と、前記送信手段により送信された情報に基づく地図範囲であって、当該地図範囲に存在するオブジェクトの数が前記ボタン数と一致するように前記サーバ装置で縮尺が調整された地図範囲に存在するオブジェクトを特定するためのオブジェクト情報を前記サーバ装置から受信する受信手段と、前記受信されたオブジェクト情報により特定される各オブジェクトを前記操作入力装置の各ボタンに関連付ける関連付け手段と、前記操作入力装置で操作されたボタンに関連付けられたオブジェクトに対して要求を送信する要求手段とを有する。